(57)【要約】【課題】就寝時の肩口の保温を目的とし、既存の寝具環境への導入や設置が容易な寝具を提供する。【解決手段】筒状の寝具であり、設置面である水平面（ａ）と、枕と接触する面（ｂ）および頚部と接触する曲面（ｃ）を有し、面（ｂ）を枕の肩が接触する側の側面に添って設置する。内部に充填された柔軟性および復元性を有する詰め物により、就寝時には身体が乗る部分のみ圧縮され、それ以外の部分は原型を留めることにより、肩口に生じる隙間をふさぎ、身体を保温することを特徴とする。【選択図】図５
2016101463.tif 000002
【特許請求の範囲】
【請求項１】
筒状であり、胴体部に水平面と曲面を有し、保温性、柔軟性および復元性を有する詰め物が内部に充填された寝具。
【請求項２】
設置時における曲面の位置が、垂直位置は使用中の枕より高く、水平位置は就寝者の頚部にあたる位置に設定されている請求項１記載の寝具。
【発明の詳細な説明】
【技術分野】
【０００１】  本発明は、就寝中の肩口からの冷えを防止するための保温用寝具に関するものである。
【背景技術】
【０００２】  布団での就寝時には、肩口において掛布団や毛布と敷布団や枕との間に隙間が生じてしまい、この隙間から冷気が侵入したり、肩部に冷気があたって肩が冷えてしまうという問題が発生する。特に冬季には、体力が衰えた要介護者や病人が風邪をひきやすくなるという問題があった。【０００３】  このような問題を解決するために、枕に装着することによって、肩が冷気にさらされたり、肩部周辺の敷布団と掛布団の隙間から冷気が侵入することを防ぐようにした寝具が開示されている（例えば、特許文献１〜２）。【０００４】  また、肩部を保温するための寝具が枕と一体となった一体式寝具も提案されている（例えば、特許文献３〜４）。
【先行技術文献】
【特許文献】
【０００５】
【特許文献１】特開２００４−３２１２９３
【特許文献２】実開平０６−０５２６４６
【特許文献３】特開２０００−０８３７８３
【特許文献４】特開２００１−１０４１２７
【発明の概要】
【発明の解決しようとする課題】
【０００６】  しかし、上記のような従来の枕着脱式寝具では、枕への着脱などの煩わしい手間が発生するという問題があった。
【０００７】  例えば、上記特許文献１記載の枕着脱式寝具では、遮断体が取り付けられたシートを枕に取り付けるようにした寝具が開示されている。しかしこの方式では、寝具を枕に固定するために固定バンドを枕に巻きつける必要があり、非常に煩わしい手間が発生する。
【０００８】  また、上記のような従来の枕一体型寝具では、現在使用している枕を取り替えなければならず、自分の体に合った枕を利用するという選択肢を狭めてしまうという問題があった。
【０００９】  例えば、上記特許文献４記載の枕一体型寝具では、枕に頚部支持部を設け肩口の保温を図る寝具が開示されている。しかしこの方式では、頚部支持部と後頭部支持部および側頭部支持部が一体として設計、構成されているため、利用するためには現在使用している枕の使用を放棄しなければならない。個々の身体の形状に合った枕の利用は、安眠や熟睡のための重要な要素である。身体の形状は千差万別であるため、保温用寝具の利用においては、任意の枕を利用できることが重要である。
【００１０】  上記事情に鑑み、本発明は、就寝中の肩口における掛布団や毛布と枕との間の隙間を塞ぐことができるとともに、設置や固定および導入が容易であり、使用する掛け布団や毛布、枕などの寝具の取り替えを必要としない寝具を提供することを目的とする。
【課題を解決するための手段】
【００１１】  本発明の寝具は筒状の寝具である。その胴部は就寝者の肩幅より長いものとし、水平面（ａ）、面（ｂ）および曲面（ｃ）を有する。また、内部には柔軟性、復元性および保温性を有する詰め物を充填して成る。
【００１２】  また、本発明の寝具は、水平面（ａ）を敷布団へ、面（ｂ）を枕の肩が接する側の側面に接するように設置する。
【００１３】  曲面（ｃ）の垂直位置は、設置時における水平面（ａ）を基準とした場合の一番高位置へ設定し、その高さは使用する枕の高さより高いものとする。また、曲面（ｃ）の水平位置は就寝者が仰臥した際の頚部に接する位置に設定する。
【００１４】  本発明の寝具は、就寝時に頚部や肩、背中が乗る部分が圧されてつぶされる。一方、頚部た肩、背中が乗らない部分は圧されることなく元の形状を保つ。この元の形状を保った部分により肩口の隙間が埋められ、外気が遮断される。
【発明の効果】
【００１５】  本発明の寝具により、就寝時の肩口の周辺における掛布団や毛布と敷布団や枕との間などの肩口の隙間を埋めることができ、頚部および肩が外気より遮断され、保温される。
【００１６】  さらに、利用している掛け布団や毛布あるいは枕などの寝具の構成の変更や加工、あるいは掛け布団や毛布、敷布団、枕などの寝具への着脱作業を必要とせずに、容易に就寝中の肩口を保温する就寝環境を提供できる効果がある。
【図面の簡単な説明】
【００１７】
【図１】本発明の寝具の斜視図である。
【図２】本発明の寝具の側面図である。
【図３】本発明の寝具の平面図である。
【図４】就寝状態を示す平面図である。
【図５】図４の平面図におけるＡ−Ａ’面の断面図である。
【図６】図４の平面図におけるＢ−Ｂ’面の断面図である。
【発明を実施するための形態】
【００１８】  次に、本発明を実施するための形態について詳細に説明する。
【００１９】  本実施形態の寝具は、図１〜３に示した布などを素材とした筒状の寝具であり、設置面である水平面（ａ）と、枕と接触する面（ｂ）および頚部と接触する曲面（ｃ）を有する。
この筒の内部は、羽毛などの保温性、柔軟性および復元性を有する素材からなる詰め物で充填されており、容易に変形、復元することができる。
【００２０】  曲面（ｃ）の垂直位置は、設置時における水平面（ａ）を基準とした場合の一番高位置へ設定し、また、使用する枕の高さより高いものとする。さらに、曲面（ｃ）の水平位置は、就寝者が仰臥した際の頚部に接する位置に設定する。
【００２１】  次に本実施形態の寝具の設置方法について説明する。
図４に示すように、水平面（ａ）を敷布団へ接するように、面（ｂ）を枕の肩が接する側の側面に接するように設置する。
【００２２】  次に本実施形態の寝具の作用について説明する。
図５に示すように就寝者が仰臥すると、本実施形態の寝具が頚部や肩部などの身体により敷布団へ垂直に圧される。このため、身体の重さで本実施形態の寝具が敷布団に固定される。これにより、枕などの寝具に着脱や固定する作業が不要となる。また、使用する枕に依存することがないので、任意の枕を使用することができる。
【００２３】  さらに、図６に示す様に、曲面（ｃ）の頚部に圧されない部分は、変形せずに元の形状を保つため、肩口にあたる部分の曲面（ｃ）の垂直位置は元の位置を維持する。これにより、本来肩口に生じる隙間にあたる部分には、本実施形態の寝具の曲面（ｃ）を含む非圧縮部が存在することになる。この状態で掛け布団をかけると、曲面（ｃ）の非圧縮部が枕と掛け布団の間に生じる隙間を埋める形になり、肩口の外気を遮断し身体を保温することができる。
【産業上の利用可能性】
【００２４】
【符号の説明】
【００２５】１  本発明の寝具の本体部
２  枕
３  就寝者
４  掛け布団
５  敷布団
６  就寝者の頚部
ａ  本発明の寝具の敷布団と接する水平面
ｂ  本発明の寝具の枕と接する面
ｃ  本発明の寝具の就寝者の頚部と接する曲面
【図１】
2016101463.tif 000003
【図２】
2016101463.tif 000004
【図３】
2016101463.tif 000005
【図４】
2016101463.tif 000006
【図５】
2016101463.tif 000007
【図６】
2016101463.tif 000008